(57)【要約】【課題】  ドーム型振動板の機械的強度を確保しながらボイスコイルの高さを低くして、高域特性を向上させることができるドーム型振動板及びスピーカ装置を提供する。【解決手段】  スピーカ装置２１は、開口部２２ａを有するフレーム２２と、開口部２２ａ内に構成された磁気回路と、磁気回路の磁気ギャップ３０に後方開口端部が挿入されるボイスコイル２７と、ボイスコイル２７の前方開口端部に冠着されるドーム型振動板３１と、外周縁がフレーム２２の開口部２２ａに取り付けられてボイスコイル２７の外周部を振動自在に保持するエッジ２９と、を備える。ドーム型振動板３１の外周端縁に形成された補強部４０は、フラット部４０ａとコーン部４０ｂとで形成されて前方の放音方向に折り返した形状とされる。【選択図】    図４
2005203972.tif 000002
【特許請求の範囲】
【請求項１】
外周部にエッジ部材が取り付けられるボイスコイルの前方開口端部に冠着されるスピーカ用のドーム型振動板であって、
前記ドーム型振動板の外周端縁が、前方の放音方向に折り返した形状とされることを特徴とするドーム型振動板。
【請求項２】
開口部を有するフレームと、前記開口部内に構成された磁気回路と、前記磁気回路の磁気ギャップに後方開口端部が挿入されるボイスコイルと、前記ボイスコイルの前方開口端部に冠着されるドーム型振動板と、外周縁が前記フレームの開口部に取り付けられて前記ボイスコイルの外周部を振動自在に保持するエッジ部材と、を備えたスピーカ装置であって、
前記ドーム型振動板の外周端縁が、前方の放音方向に折り返した形状とされていることを特徴とするスピーカ装置。
【請求項３】
前記ドーム型振動板が、導電性材料により形成されると共に、前記ボイスコイルの巻線に接続されたリード線が、前記エッジ部材の前面側に配索されていることを特徴とする請求項２に記載のスピーカ装置。
【発明の詳細な説明】
【技術分野】
【０００１】
本発明は、ドーム型振動板及びスピーカ装置に関する。
【背景技術】
【０００２】
従来より、中・高音再生用のスピーカ装置には、ドーム型振動板が広く使用されている（例えば、特許文献１参照）。
図１は、ドーム型振動板を備えたスピーカ装置の従来例を示したものである。
ここに示したスピーカ装置１は、円盤状のマグネット（永久磁石）４の前方（図中上方）に円盤状の磁性体からなるトッププレート５が設けられると共に、マグネット４の後方から前方にかけてツボ型ヨーク６が設けられて内磁型の磁気回路が構成されており、トッププレート５の外周とツボ型ヨーク６の前方の内周との間には磁気ギャップ１０が形成されている。
【０００３】
また、円筒状のボビン８の後方側外周面上に巻線１２が巻回されて成るボイスコイル７は、前方開口端部にドーム型振動板１１が外嵌するように冠着されており、その外周囲に円環状のエッジ（エッジ部材）９が設けられている。
そして、前記ボイスコイル７は、巻線１２が磁気ギャップ１０に位置するように、前記ボビン８の後方開口端部が磁気ギャップ１０に配置されると共に前記エッジ９の外周部がフレーム２に固定される。そこで、ボイスコイル７は、エッジ９を介してフレーム２に振動自在に保持されている。
【０００４】
前記ドーム型振動板１１は、アルミニウム合金等の金属薄板をドーム型に形成したものであり、その外周縁にはフラット状補強部１１ａが水平方向に延設されている。即ち、ドーム型に形成された金属薄板の外周縁にフラット状補強部１１ａを延設し、ドーム型振動板１１の機械的強度を確保することで、スピーカ装置１の高域再生特性を向上させることができる。
【０００５】
更に、前記ボビン８に巻回された巻線１２の各端部は、ボビン８の外周面に設けられた接続部を介してそれぞれリード線１４の一端に接続されており、これらリード線１４の他端は、フレーム２に一体成形されたコネクタ部２０の端子１６に接続される。
前記ドーム型振動板１１の上方には、フレーム２に装着されたカバー３が配置されている。このカバー３は、ドーム型振動板１１を物理的外力から保護すると共に、ドーム型振動板１１が発生する音響を複数の放音孔から適切に放音するように構成されている。
【０００６】
そこで、このコネクタ部２０に嵌合された相手コネクタ（図示せず）の接続ケーブル及びリード線１４を介してアンプに接続された巻線１２に信号電流を供給すれば、ボイスコイル７と共にドーム型振動板１１が振動し、音響が出力される。
【０００７】
【特許文献１】特開平２−３１２３９６号公報
【発明の開示】
【発明が解決しようとする課題】
【０００８】
ところが、上述したようにドーム型振動板１１の外周縁にフラット状補強部１１ａを延設した場合には、該フラット状補強部１１ａがエッジ９の湾曲部９ａと干渉したり、該エッジ９の前面上に配索されたリード線１４と金属製のフラット状補強部１１ａとが接触して短絡を生じる可能性がある為、ボイスコイル７におけるボビン８の高さＨ１を高めに設定し、エッジ９とフラット状補強部１１ａとのクリアランスを確保する必要がある。
そこで、高さＨ１を高くされたボイスコイル７は、剛性が低下して伝達ロスを生じたり、重量が嵩むことによって、高域特性が減衰してしまうという問題が一例として挙げられる。
【課題を解決するための手段】
【０００９】
請求項１に記載の発明は、外周部にエッジ部材が取り付けられるボイスコイルの前方開口端部に冠着されるスピーカ用のドーム型振動板であって、前記ドーム型振動板の外周端縁が、前方の放音方向に折り返した形状とされることを特徴とする。
【００１０】
又、請求項２に記載の発明は、開口部を有するフレームと、前記開口部内に構成された磁気回路と、前記磁気回路の磁気ギャップに後方開口端部が挿入されるボイスコイルと、前記ボイスコイルの前方開口端部に冠着されるドーム型振動板と、外周縁が前記フレームの開口部に取り付けられて前記ボイスコイルの外周部を振動自在に保持するエッジ部材と、を備えたスピーカ装置であって、前記ドーム型振動板の外周端縁が、前方の放音方向に折り返した形状とされていることを特徴とする。
【発明を実施するための最良の形態】
【００１１】
本発明に係わるドーム型振動板及びスピーカ装置の実施の形態について説明する。
本発明のドーム型振動板は、外周部にエッジ部材が取り付けられるボイスコイルの前方開口端部に冠着されるスピーカ用のドーム型振動板であり、前記ドーム型振動板の外周端縁が、前方の放音方向に折り返した形状とされている。
【００１２】
即ち、ボイスコイルの前方開口端部に冠着されるドーム型振動板は、外周端縁がスピーカ前方の放音方向に折り返した形状とされてエッジ部材から離れる方向に補強部が延設される。
そこで、前記ドーム型振動板は、エッジ部材との間に十分なクリアランスを確保して干渉を防止しつつ、機械的強度を確保することができる。
【００１３】
又、本発明のスピーカ装置は、開口部を有するフレームと、前記開口部内に構成された磁気回路と、前記磁気回路の磁気ギャップに後方開口端部が挿入されるボイスコイルと、前記ボイスコイルの前方開口端部に冠着されるドーム型振動板と、外周縁が前記フレームの開口部に取り付けられて前記ボイスコイルの外周部を振動自在に保持するエッジ部材と、を備えており、前記ドーム型振動板の外周端縁が、前方の放音方向に折り返した形状とされている。
【００１４】
即ち、ボイスコイルの前方開口端部に冠着されるドーム型振動板は、外周端縁がスピーカ前方の放音方向に折り返した形状とされて、エッジ部材から離れる方向に補強部が延設される。
そこで、前記ドーム型振動板の機械的強度を確保しつつ、エッジ部材との間に十分なクリアランスを確保して干渉を防止でき、前記ボイスコイルの高さを低くできる。
従って、高さを低くされたボイスコイルは、剛性が向上して伝達ロスが減ると共に重量が軽くなり、スピーカ装置の高域特性を向上させることができる。
【００１５】
更に、上記スピーカ装置のドーム型振動板が導電性材料により形成されると共に、前記ボイスコイルの巻線に接続されたリード線が前記エッジ部材の前面側に配索されている場合にも、前記エッジ部材の前面上に配索されたリード線と金属等の導電性材料により形成されるドーム型振動板とが接触して短絡を生じるのを防止でき、前記ボイスコイルの高さを低くできる。
【００１６】
尚、上述した前方の放音方向とは、ドーム型振動板の前面から放射される音波の方向であり、本発明において前方の放音方向に折り返すとは、ボイスコイルの振動方向に対して直交する水平面に対して前方に角度を有するように折り返す事である。
【実施例】
【００１７】
以下、添付図面に基づいて本発明の一実施例に係るドーム型振動板及びスピーカ装置を詳細に説明する。
図２乃至図４は、本発明の実施例に係るドーム型振動板を備えたスピーカ装置を示したものである。
【００１８】
本実施例のスピーカ装置２１は、図２に示すように、円盤状のマグネット（永久磁石）２４の前方（図中上方）に円盤状の磁性体からなるトッププレート２５及び吸音材３５が設けられると共に、マグネット２４の後方から前方にかけてツボ型ヨーク２６が設けられて内磁型の磁気回路が構成されているドーム型のスピーカ装置であり、トッププレート２５の外周とツボ型ヨーク２６の前方の内周との間には、図３に示すように、磁気ギャップ３０が形成される。
【００１９】
前記ツボ型ヨーク２６は、図２及び図３に示すように、断面視略コ字形状の磁性体から成る金属製のヨークであり、フレーム２２の開口部２２ａの内周面に突設された環状リブ２２ｂに周壁の先端２６ａが当接するまで嵌挿されることにより、これら開口部２２ａの内周面及び環状リブ２２ｂによって位置決めされた状態で接着剤等により固定される。
【００２０】
また、円筒状のボビン２８の後方側外周面上に巻線３２が巻回されて成るボイスコイル２７の前方開口端部には、ドーム型振動板３１が外嵌するように冠着されている。
又、ボイスコイル２７の外周囲には、ボビン２８の外周面に内周部が接着された円環状のエッジ（エッジ部材）２９が設けられる。このエッジ２９は、例えばウレタンやラバー等の弾性素材からなり、断面円弧状に形成された湾曲部２９ａを備える。
【００２１】
そして、前記ボイスコイル２７は、外周面に巻回された巻線３２が磁気ギャップ３０に位置するように、前記ボビン２８の後方開口端部が磁気ギャップ３０に配置されると共に前記エッジ２９の外周部がフレーム２２に固定される。そこで、ボイスコイル２７は、エッジ２９を介してフレーム２２の開口部２２ａ内に振動自在に保持されている。
【００２２】
前記ドーム型振動板３１は、アルミニウム合金等の金属薄板をドーム型に形成したものであり、図４に示すように、球面状のドーム部３１ａと、該ドーム部３１ａの周端縁に突設されてボイスコイル２７の前方開口端部に外嵌する円筒部３１ｂと、該円筒部３１ｂの後方開口端部に設けられた補強部４０とが一体成形されている。
【００２３】
この補強部４０は、図４及び図５（ａ）に示すように、ドーム型振動板３１の外周端縁を前方の放音方向に折り返した形状とすることに形成されており、前記円筒部３１ｂの後方開口端部から水平方向に延設されたフラット部４０ａと、該フラット部４０ａの外周端部から前方に適宜角度を有するように延設されたコーン部４０ｂとから成る。
即ち、ドーム型振動板３１は、ドーム型に形成された金属薄板の外周縁に前記補強部４０を延設して機械的強度を確保している。
【００２４】
更に、前記ボビン２８に巻回された巻線３２の各端部は、ボビン２８の外周面に設けられた接続部３３を介してそれぞれリード線３４の一端に接続されており、これらリード線３４の他端は、フレーム２２に一体成形されたコネクタ部３８の端子３６に接続される。
そこで、このコネクタ部３８に嵌合された相手コネクタ（図示せず）の接続ケーブル及びリード線３４を介してアンプに接続された巻線３２に信号電流を供給すれば、ボイスコイル２７と共にドーム型振動板３１が振動し、音響が出力される。
【００２５】
前記ドーム型振動板３１の上方には、フレーム２２に装着されたカバー２３が配置されている。このカバー２３は、ドーム型振動板３１の形状に応じてドーム型に成型されており、その外周壁に沿って複数箇所形成された係合片５１が、フレーム２２に形成された係止突起５３と係合することにより、該フレーム２２に一体的に位置決め固定される。
そして、このカバー２３には複数の放音孔２３ａが形成されており、該ドーム型振動板３１を物理的外力から保護すると共に、ドーム型振動板３１が発生する音響を複数の放音孔２３ａから適切に放音するように構成されている。
【００２６】
即ち、上述した本実施例のスピーカ装置２１によれば、ドーム型振動板３１の外周端縁が、ボイスコイル２７の振動方向（図３中、上下方向）に対して直交する水平面に対して前方（図中上方）に角度を有するように折り返した形状とされている。
そこで、ボイスコイル２７の前方開口端部に冠着されるドーム型振動板３１は、外周端縁がスピーカ前方の放音方向に折り返した形状とされてエッジ２９から離れる方向に補強部４０が延設されている。
【００２７】
従って、本実施例のドーム型振動板３１は、スピーカ前方に凸形状となる湾曲部２９ａを備えたエッジ２９との間にも十分なクリアランスを確保して干渉を防止しつつ、機械的強度を確保することができる。
そして、図４に示すように本実施例のスピーカ装置２１は、ボイスコイル２７におけるボビン２８の高さＨ２が、図１に示した従来のボビン８の高さＨ１よりも低めに設定されても、エッジ２９と補強部４０とのクリアランスを確保することができる。
そこで、本実施例の高さＨ２を低くされたボイスコイル２７は、剛性が高くなって伝達ロスが減ると共に重量が軽くなることにより、スピーカの高域特性を改善することができる。
【００２８】
更に、本実施例のドーム型振動板３１は、導電性材料である金属薄板により形成されると共に、前記ボイスコイル２７の巻線３２に接続されたリード線３４が前記エッジ２９の前面側に配索されているにも関わらず、エッジ２９の前面上に配索されたリード線３４とドーム型振動板３１とが接触して短絡を生じるのを防止でき、ボイスコイル２７の高さＨ２を低くできる。
そこで、本実施例のスピーカ装置２１は、リード線３４をエッジ２９の後面側に配索した場合に比べて組立が容易となり、製造コストの上昇を招くこともない。
【００２９】
尚、本発明のドーム型振動板及びスピーカ装置におけるフレーム、磁気回路、ボイスコイル、ドーム型振動板及びエッジ部材等の構成は、上記実施例の構成に限定されるものではなく、本発明の趣旨に基づいて種々の形態を採りうることは勿論である。
上記実施例のドーム型振動板３１は、図５（ａ）に示したように、外周端縁を前方の放音方向に折り返した形状とする補強部４０が、フラット部４０ａとコーン部４０ｂとで形成されたが、本発明はこれに限定されるものではない。
【００３０】
例えば、図５（ｂ）に示すドーム型振動板６１の補強部６２は、ドーム部６１ａの周端縁に突設された円筒部６１ｂの後方開口端部から前方に適宜角度を有するように延設されたコーン部から成る。
又、図５（ｃ）に示すドーム型振動板７１の補強部７２は、ドーム部７１ａの周端縁に突設された円筒部７１ｂの後方開口端部から前方に断面略Ｕ字形状に延設された湾曲部から成る。
【００３１】
更に、上記実施例のドーム型振動板３１は、平面視円形のドーム部３１ａを備えたドーム型振動板であるが、本発明のドーム型振動板は平面視楕円形や長円形等のドーム部を備えたドーム型振動板にも適用可能であることは勿論である。
【図面の簡単な説明】
【００３２】
【図１】従来のスピーカ装置の要部断面図である。
【図２】本発明の実施例に係るスピーカ装置の分解斜視図である。
【図３】本発明の実施例に係るスピーカ装置の縦断面図である。
【図４】図３に示したスピーカ装置の要部拡大断面図である。
【図５】本発明の実施例に係るドーム型振動板の変形例を示す要部拡大断面図である。
【符号の説明】
【００３３】
１１  操作装置
１３  スイッチ部材
１３ａ  軸部材
１３ｂ  軸支持部
１５  操作部材
１５ａ  装着部
２１  ストッパー部材
２１ａ  嵌合リング部
２１ｂ  係止用突起部
【図１】
2005203972.tif 000003
【図２】
2005203972.tif 000004
【図３】
2005203972.tif 000005
【図４】
2005203972.tif 000006
【図５】
2005203972.tif 000007